(57)【特許請求の範囲】
【請求項１】
四辺形の板状部材を、その後端を壁体に固定した後端支持部で支持し、かつその面内の一以上の部位を、後端を壁体に、先端を該面内のいずれかの部位に各々ユニバーサルジョイントを介して結合した支持アームで支持し、前記両ユニバーサルジョイントの内、前記板状部材と結合する側のそれには、該板状部材との結合部を、該ユニバーサルジョイントのケース部に構成した上挟持部、該上挟持部と板状部材を挟んで表裏対応する裏面側に配する下挟持部及び該板状部材に開口した連結孔を通じて該上挟持部と下挟持部とを連結する連結手段で構成し、前記下挟持部に照明手段を配し、該照明手段に電力を供給すべく接続した電力供給線を両ユニバーサルジョイント及び支持アームを通じて延長し、該電力供給線を壁体の内側まで引き込むべく構成した照明付きの板状部材による壁面からの水平張り出し構造において、
前記各ユニバーサルジョイントを、球体支承部を備えたケース部と、該ケース部の球体支承部に転動自在に支持される転動球体と、該転動球体から突出する連結管とで構成し、  該球体支承部には、支承する転動球体側から結合対象の壁体又は板状部材側に連通する通孔を形成し、該転動球体には該球体支承部の通孔と該連結管の中空部とを連通する連通孔であって、該球体支承部側に向かって拡大する連通孔を形成し、
前記支持アームをパイプ体で構成し、かつその両端と前記各ユニバーサルジョイントの転動球体から突出する連結管との間に、相互をこれを介して結合すべく結合管を配し、
前記各ユニバーサルジョイントの内、前記板状部材と結合する側のそれに構成した上挟持部、連結手段及び下挟持部に各々相互を連通する通孔を形成し、該上挟持部の通孔を前記球体支承部の通孔に連通させ、かつ下挟持部の通孔をその下端が前記照明手段側に開口するように形成し、
前記各ユニバーサルジョイントの内、壁体に結合する側のそれには、該壁体との結合部を、該ユニバーサルジョイントのケース部に構成した外挟持部、該外挟持部と壁体を挟んで内外対応する内面側に配する内挟持部及び該壁体に開口した連結孔を通じて該外挟持部と内挟持部とを連結する連結パイプで構成し、
該外挟持部に、該当するユニバーサルジョイントの球体支承部の通孔及び前記連結パイプの中空部に連通する通孔を形成し、前記内挟持部に該連結パイプを貫通結合させる貫通結合孔を形成し、
前記照明手段に電力を供給する電力供給線を、該照明手段から、順次、前記ユニバーサルジョイントの板状部材との結合部を構成する下挟持部、連結手段及び上挟持部に各々形成した通孔、球体支承部の通孔、転動球体の連通孔、連結管の中空部、前記支持アームを構成するパイプ体の中空部を該ユニバーサルジョイントの連結管の中空部と結合する結合管の中空部、該パイプ体の中空部、結合管の中空部、前記他のユニバーサルジョイントの連結管の中空部、転動球体の連通孔、球体支承部の通孔、壁体との結合部を構成する外挟持部の通孔及び連結パイプの中空部を、各々通じて壁体の内側に引き込むように構成した板状部材による壁面からの水平張り出し構造。
【請求項２】
前記支持アームを構成するパイプ体を二つの支分パイプ体で構成し、両支分パイプ体の内端に相互に逆回り関係となる雌ねじを形成し、両者をその間に配した結合パイプであって、その外周両側に各々対応する側の雌ねじに螺合し得る雄ねじを形成した結合パイプで連結することとし、該二つの支分パイプの中空部及び結合パイプの中空部を前記電力供給線の通過部位とした請求項１の板状部材による壁面からの水平張り出し構造。
【請求項３】
前記支持アーム、前記両ユニバーサルジョイント、前記板状部材との結合部及び前記壁体との結合部を導電性材料で構成し、前記電力供給線の一対の線の内の一方を該支持アーム、該ユニバーサルジョイント、該板状部材との結合部及び該壁体との結合部で兼ねることとした請求項１又は２の板状部材による壁面からの水平張り出し構造。
【発明の詳細な説明】
【技術分野】
【０００１】
本発明は、建築物に於ける庇や棚のような壁面から張り出した構造であって、張り出し部がガラス又はアルミニウム板のような板状部材で構成され、かつその一部に照明手段が配設された板状部材による壁面からの水平張り出し構造に関するものである。
【背景技術】
【０００２】
従来、ガラスで庇や棚のようなガラスによる壁面からの水平張り出し構造を構成する場合は、金属フレームで張り出し面を構成する板ガラスの周囲を囲んでこれを補強し、これを、更に、その後部を壁面に固設したＨ鋼や角パイプのような構造用フレームで支持し、同時に該構造用フレームの途中と壁面間を繋ぐ複数の棒状ステイでこれらを支持するように構成するのが普通であり、これらに於いて、板ガラスは荷重を受ける構造材ではなく、実質的には仕上げ材となっていたと云って良い構成となっていたものである。
【０００３】
このような従来例のガラスで構成した庇や棚は、上記のように、実質的には、ガラス部分は、金属フレーム等による構造材に付設した仕上げ材的に用いられてきたものであり、金属製の構造用フレームが大きな部分を占めるため、ガラスによる軽快でスマートな感じが得られず、重たく鈍い感じとなり、デザイン性に乏しい物となっていた。
【０００４】
そこで本件出願人は、以上のような従来技術の問題点を解決し、金属製の構造材の仕上げ材のような態様ではなく、ガラスによって充分な強度を備えた庇や棚の構造を構成し得るようにすることにより、全体として、明るく軽快でスマートなデザインを容易に行うことができる優れたガラスによる壁面からの水平張り出し構造の提案（特許文献１）を行った。
【０００５】
このガラスによる壁面からの水平張り出し構造は、四辺形の板ガラスを、その後端を壁内に埋め込んだ後端支持部で起伏自在かつ水平方向回動自在に支持し、かつその面内の一以上の部位を、後端を壁内に、先端を該面内の部位に、それぞれユニバーサルジョイントを介して結合した支持アームで支持するものである。
【０００６】
この特許文献１によれば、金属フレームのような構造材を不要としながら、充分な強度を備えるとともに、明るく軽快でスマートなデザインのガラスによる壁面からの水平張り出し構造、たとえば、ガラスによる庇や棚等を容易に構成することができたものであり、充分所期の目的を達成できたものである。従って、これ自体には何も問題はないが、これを、市場にガラスによる庇として提供して行く内に、これに何らかの照明手段を付加すればより好ましいとの要望が生じるに至った。
【０００７】
更に、以上の技術は、前記板ガラスに代えて、同様に、軽快でスマートなデザインを実現可能なアルミニウム板等の板状部材にまで拡張可能であり、その要望もあるため、板状部材による壁面からの水平張り出し構造まで拡張し、同様にこれに何らかの照明手段を付加することを検討するに至った。
【０００８】
【特許文献１】特許第３７１４９０３号公報
【発明の開示】
【発明が解決しようとする課題】
【０００９】
本発明は、以上のような特許文献１の発明又はこれに類するものに対して新たに生じた照明手段を付加したいという要望に応えるものであり、本来の軽快でスマートなデザインに悪影響を与えることなく、適切な位置に適切な照明を施すことが可能な照明手段を備えた板状部材による壁面からの水平張り出し構造を提供することを解決の課題とするものである。
【課題を解決するための手段】
【００１０】
本発明の１は、四辺形の板状部材を、その後端を壁体に固定した後端支持部で支持し、かつその面内の一以上の部位を、後端を壁体に、先端を該面内のいずれかの部位に各々ユニバーサルジョイントを介して結合した支持アームで支持し、前記両ユニバーサルジョイントの内、前記板状部材と結合する側のそれには、該板状部材との結合部を、該ユニバーサルジョイントのケース部に構成した上挟持部、該上挟持部と板状部材を挟んで表裏対応する裏面側に配する下挟持部及び該板状部材に開口した連結孔を通じて該上挟持部と下挟持部とを連結する連結手段で構成し、前記下挟持部に照明手段を配し、該照明手段に電力を供給すべく接続した電力供給線を両ユニバーサルジョイント及び支持アームを通じて延長し、該電力供給線を壁体の内側まで引き込むべく構成した照明付きの板状部材による壁面からの水平張り出し構造において、
前記各ユニバーサルジョイントを、球体支承部を備えたケース部と、該ケース部の球体支承部に転動自在に支持される転動球体と、該転動球体から突出する連結管とで構成し、  該球体支承部には、支承する転動球体側から結合対象の壁体又は板状部材側に連通する通孔を形成し、該転動球体には該球体支承部の通孔と該連結管の中空部とを連通する連通孔であって、該球体支承部側に向かって拡大する連通孔を形成し、
前記支持アームをパイプ体で構成し、かつその両端と前記各ユニバーサルジョイントの転動球体から突出する連結管との間に、相互をこれを介して結合すべく結合管を配し、
前記各ユニバーサルジョイントの内、前記板状部材と結合する側のそれに構成した上挟持部、連結手段及び下挟持部に各々相互を連通する通孔を形成し、該上挟持部の通孔を前記球体支承部の通孔に連通させ、かつ下挟持部の通孔をその下端が前記照明手段側に開口するように形成し、
前記各ユニバーサルジョイントの内、壁体に結合する側のそれには、該壁体との結合部を、該ユニバーサルジョイントのケース部に構成した外挟持部、該外挟持部と壁体を挟んで内外対応する内面側に配する内挟持部及び該壁体に開口した連結孔を通じて該外挟持部と内挟持部とを連結する連結パイプで構成し、
該外挟持部に、該当するユニバーサルジョイントの球体支承部の通孔及び前記連結パイプの中空部に連通する通孔を形成し、前記内挟持部に該連結パイプを貫通結合させる貫通結合孔を形成し、
前記照明手段に電力を供給する電力供給線を、該照明手段から、順次、前記ユニバーサルジョイントの板状部材との結合部を構成する下挟持部、連結手段及び上挟持部に各々形成した通孔、球体支承部の通孔、転動球体の連通孔、連結管の中空部、前記支持アームを構成するパイプ体の中空部を該ユニバーサルジョイントの連結管の中空部と結合する結合管の中空部、該パイプ体の中空部、結合管の中空部、前記他のユニバーサルジョイントの連結管の中空部、転動球体の連通孔、球体支承部の通孔、壁体との結合部を構成する外挟持部の通孔及び連結パイプの中空部を、各々通じて壁体の内側に引き込むように構成した板状部材による壁面からの水平張り出し構造である。
【００１２】
本発明の２は、本発明の１の板状部材による壁面からの水平張り出し構造に於いて、前記支持アームを構成するパイプ体を二つの支分パイプ体で構成し、両支分パイプ体の内端に相互に逆回り関係となる雌ねじを形成し、両者をその間に配した結合パイプであって、その外周両側に各々対応する側の雌ねじに螺合し得る雄ねじを形成した結合パイプで連結することとし、該二つの支分パイプの中空部及び結合パイプの中空部を前記電力供給線の通過部位としたものである。
【００１３】
本発明の３は、本発明の１又は２の板状部材による壁面からの水平張り出し構造に於いて、前記支持アーム、前記ユニバーサルジョイント、前記板状部材との結合部及び前記壁体との結合部を導電性材料で構成し、前記電力供給線の一対の線の内の一方を該支持アーム、該ユニバーサルジョイント、該板状部材との結合部及び該壁体との結合部で兼ねることとしたものである。
【発明の効果】
【００１４】
したがって本発明の１の板状部材による壁面からの水平張り出し構造によれば、その本来の軽快でスマートなデザインに全く悪影響を与えることなく、照明手段を付加した板状部材による壁面からの水平張り出し構造、たとえば、板ガラスやアルミニウム板等による庇や棚等を容易に構成することができる。
【００１５】
また本発明の１の板状部材による壁面からの水平張り出し構造によれば、照明手段に電力を供給する電力供給線を、前記支持アーム、前記ユニバーサルジョイント、前記板状部材との結合部及び前記壁体との結合部に、合理的かつ簡明な態様で通孔等の適切な広さの空間を構成し、その中に配したものであり、これによって外観のデザインに悪影響を与えることなく、壁体の内側まで引き込むことができるようになったものである。ユニバーサルジョイントの部位で、その一定範囲での屈曲角度変更を許容しつつその内部に電力供給線を配し得るようになっているものでもある。
【００１６】
本発明の２の板状部材による壁面からの水平張り出し構造によれば、その内部への電力供給線の配置を許容しながら、支持アームの長さを調節し得るものである。
【００１７】
本発明の３の板状部材による壁面からの水平張り出し構造によれば、電力供給線の一対の内の一方を導電性材料で構成した前記支持アーム、前記ユニバーサルジョイント、前記板状部材との結合部及び前記壁体との結合部で兼用することができるため、一層構成が簡明となり、合理化されたものとなる。
【発明を実施するための最良の形態】
【００１８】
本発明は照明手段付きの板状部材による壁面からの水平張り出し構造である。
この板状部材による壁面からの水平張り出し構造は、基本的には、四辺形の板状部材を、その後端を壁体に固定した後端支持部で支持し、かつその面内の一以上の部位を、後端を壁体に、先端を該面内のいずれかの部位に各々ユニバーサルジョイントを介して結合した支持アームで支持するものであり、前記後端支持部は、前記板状部材の後端を起伏自在かつ水平方向回動自在に支持し得るものであるのが好ましい。その具体的な構成は自由である。
【００１９】
前記照明手段は、前記両ユニバーサルジョイントの内、前記板状部材と結合する側のそれの該板状部材との結合部であって、該板状部材の下側に位置する部位に下向きに取り付ける。
【００２０】
具体的には次の通りである。
即ち、該結合部は、該ユニバーサルジョイントのケース部に構成した上挟持部、該上挟持部と板状部材を挟んで表裏対応する裏面側に配する下挟持部及び該板状部材に開口した連結孔を通じて該上挟持部と下挟持部とを連結する連結手段で構成し、前記照明手段は、該下挟持部に取り付ける。そして該照明手段に電力を供給すべくこれに接続した電力供給線は、前記両ユニバーサルジョイント及び支持アームを通じて延長し、壁体の内側まで引き込むべく構成したものである。
【００２１】
前記照明手段を構成する光源は、特定のものに限定されないが、なるべく小型で、十分な光量を持ち、更に省電力であるのが好ましい。その意味で、高輝度タイプのＬＥＤ（発光ダイオード）が適当である。この種のＬＥＤを数個組み合わせれば、低消費電力で十分な光量を確保することができる。
【００２３】
また前記支持アーム及び前記両ユニバーサルジョイントを通じて電力供給線を延長する構成は、以下のようにする。
まず前記各ユニバーサルジョイントは、球体支承部を備えたケース部と、該ケース部の球体支承部に転動自在に支持される転動球体と、該転動球体から突出する連結管とで構成し、該球体支承部には、支承する転動球体側から結合対象の壁体又は板状部材側に連通する通孔を形成し、該転動球体には該球体支承部の通孔と該連結管の中空部とを連通する連通孔であって、該球体支承部側に向かって拡大する連通孔を形成する。
【００２４】
前記支持アームはパイプ体で構成し、かつその両端と前記各ユニバーサルジョイントの転動球体から突出する連結管との間に、相互をこれを介して結合すべく結合管を配する。
【００２５】
前記各ユニバーサルジョイントの内、前記板状部材と結合する側のそれに構成した上挟持部、連結手段及び下挟持部には、各々相互を連通する通孔を形成し、該上挟持部の通孔を前記球体支承部の通孔に連通させ、かつ下挟持部の通孔をその下端が前記照明手段側に開口するように形成する。
【００２６】
前記各ユニバーサルジョイントの内、壁体に結合する側のそれには、該壁体との結合部を、該ユニバーサルジョイントのケース部に構成した外挟持部、該外挟持部と壁体を挟んで内外対応する内面側に配する内挟持部及び該壁体に開口した連結孔を通じて該外挟持部と内挟持部とを連結する連結パイプで構成し、該外挟持部に、該当するユニバーサルジョイントの球体支承部の通孔及び前記連結パイプの中空部に連通する通孔を形成し、前記内挟持部に該連結パイプを貫通結合させる貫通結合孔を形成する。
【００２７】
具体的には、例えば、該連結パイプの外端は相互間に配した連結雄ねじを介して外挟持部に結合する。該連結雄ねじは、その先端側と後端側とでねじの方向を逆転させたねじ部材であり、その先端側の雄ねじを前記外挟持部の通孔に形成した雌ねじに螺合させ、後端側を前記連結パイプの外端側内周に形成してある雌ねじに螺合させることで両者を結合するものである。また該連結パイプの内端側外周には雄ねじを形成し、かつ前記内挟持部の中心の貫通結合孔としては結合雌ねじを形成しておき、壁体の内面側で連結孔から突出した連結パイプの雄ねじに該内挟持部の結合雌ねじを螺合して結合固定する。この場合の設置対象の壁体の厚みの違いに対しては、螺合位置を深くするか浅くするかで吸収できる。また上記螺合による結合は、該連結パイプの端部に更にナット等を螺合することで強化され、これによって該連結パイプの引き抜き強度が高められる。
【００２８】
それぞれ以上のように構成した上で、前記照明手段に電力を供給する電力供給線は、該照明手段から、順次、前記ユニバーサルジョイントの板状部材との結合部を構成する下挟持部、連結手段及び上挟持部に各々形成した通孔、球体支承部の通孔、転動球体の連通孔、連結管の中空部、前記支持アームを構成するパイプ体の中空部を該ユニバーサルジョイントの連結管の中空部と結合する結合管の中空部、該パイプ体の中空部、結合管の中空部、前記他のユニバーサルジョイントの連結管の中空部、転動球体の連通孔、球体支承部の通孔、壁体との結合部を構成する外挟持部の通孔及び連結パイプの中空部を各々通じて壁体の内側に引き込むようにするものである。なお要所の通孔には、電力供給線を配した後、シーリング材を充填して、照明手段側及び壁体の内側に雨水等が浸入しないように対策するべきである。
【００２９】
また前記支持アームを構成するパイプ体は、二つの支分パイプ体で構成し、両支分パイプ体の内端に相互に逆回り関係となる雌ねじを形成し、両者をその間に配した結合パイプであって、その両端外周に各々対応する側の雌ねじに螺合し得る雄ねじを形成した結合パイプで連結することとし、該二つの支分パイプの中空部及び結合パイプの中空部を前記電力供給線の通過部位とすることもできる。
【００３０】
更にまた前記支持アーム、前記ユニバーサルジョイント、前記板状部材との結合部及び前記壁体との結合部は、導電性材料で構成するものとし、前記電力供給線の一対の線の内の一方を該支持アーム、該ユニバーサルジョイント、該板状部材との結合部及び該壁体との結合部で兼ねることとすることも可能であ。
【００３１】
なお前記四辺形の板状部材としては、デザイン上のスマートさや軽快さを失わない種々のそれを自由に採用することができる。例えば、板ガラスやアルミニウム板等が適当である。
【００３２】
また該板ガラスも特定のそれに限定されない。一般のガラス又は強化ガラスのいずれも使用可能であり、単板のガラス又は合わせガラス等も採用可能である。種々のそれを自由に採用することができる。もっともそれぞれ用途に応じた必要な強度を有する必要があるのは云うまでもない。多くの場合は、建物外面に取り付けられることになるが、例えば、建物の開口部上等に張り出す庇に構成する場合は、あり得る最大風圧等を考慮して用いる板ガラスの種類を決定する。このような場合は通常強化ガラス以外は採用が困難である。このように強化ガラスを採用した場合は、容易に損傷を生じることはないが、単板の場合は、その一面に飛散防止フィルムを貼付し、たとえ、破損した場合でも、砕けたガラス片が飛散するのを防止するようにするのが適当である。合わせガラスの場合はこのような飛散防止フィルムは不要である。
【００３３】
また前記アルミニウム板も種々の構成のそれを自由に採用することができる。例えば、内部のハニカム構造を両面の薄い支分アルミニウム板で挟んで構成したものを採用する等である。
【００３４】
したがって本発明の板状部材による壁面からの水平張り出し構造によれば、その本来の軽快でスマートなデザインに全く悪影響を与えることなく、照明手段を付加した板状部材による壁面からの水平張り出し構造、たとえば、板ガラスやアルミニウム板による庇や棚等を容易に構成することができる。
【００３５】
より具体的には、前記のように、照明手段に電力を供給する電力供給線を、前記支持アーム、前記ユニバーサルジョイント、前記板状部材との結合部及び前記壁体との結合部に、前記の態様で通孔等の適切な広さの空間を構成し、その中に配したため、これによって外観のデザインに悪影響を与えることなく、壁体の内側まで引き込むことができることになる。前記のように、ユニバーサルジョイントの転動球体に球体支承部側に向かって拡大する連通孔を形成したため、該ユニバーサルジョイントの部位で、該連通孔の球体支承部側への拡大角度の範囲内でその屈曲角度を変えても内部に配した電力供給線に損傷を生じさせるような虞はない。
【００３６】
また前記支持アームを構成するパイプ体を、前記したように、二つの支分パイプ体で構成し、両支分パイプ体の内端に相互に逆回り関係となる雌ねじを形成し、その間に、その両端外周に各々対応する側の雌ねじに螺合し得る雄ねじ形成した結合パイプを配して連結することとした場合は、支持アーム中に電力供給線を支障なく配しつつ、その長さを調節し得るものとすることができる。
【００３７】
更にまた前記支持アーム、前記ユニバーサルジョイント、前記板状部材との結合部及び前記壁体との結合部を導電性材料で構成するものとした場合は、前記のように、前記電力供給線の一対の線の内の一方を該支持アーム、該ユニバーサルジョイント、該板状部材との結合部及び該壁体との結合部で兼ねることとすることも可能であり、このようにすることにより、一層構成を合理化することができる。
【実施例】
【００３８】
以下、板ガラスによる庇に適用した本発明の実施例を添付図を参照しながら詳細に説明する。
図１及び図６に示すように、この実施例のガラスによる庇は、基本的に、庇本体を構成する四辺形の板ガラス１と、その後端を支持する後端支持部２と、該板ガラス１の上面の一部と該板ガラス１が張り出す外壁（壁体）３との間を各々ユニバーサルジョイント４、４を介して結合する一対の支持アーム５、５と、各一方のユニバーサルジョイント４、４の板ガラス１との結合部を構成する後記下挟持部４ａに配したＬＥＤ照明部６と、電力供給線７ａとで構成したものである。
【００３９】
前記板ガラス１としては、この実施例では、図１、図２(a)、図５及び図６に示すように、二枚の板ガラスを接着性を有する中間膜を介して接合して構成した合わせガラスを採用したものである。
【００４０】
また前記後端支持部２は、図１、図５及び図６に示すように、その支持枠部材８の後端を外壁３に当接した状態で固定し、その支持枠部材８に、前記板ガラス１の後端を挿入した外装保持部９を装入してこれを支持するように構成したものである。この支持は、該板ガラス１を起伏自在かつ水平方向回動自在となるように設定した。
【００４１】
前記後端支持部２は、具体的には、図５に示すように、前記板ガラス１の後端全体を外装して接着固定する断面コ字形の外装保持部９と、該外装保持部９を更に外装する断面コ字形の支持枠部材８と、該支持枠部材８を構成する上板部８ａと該外装保持部９の上面との間及び前記支持枠部材８の下板部８ｂと前記外装保持部９の下面との間にそれぞれ充填する弾性充填部材１０と、前記支持枠部材８の背板部８ｃに取り付けた外壁３への固定用のアンカー１１とで構成したものであり、その内、前記外装保持部９は、予め工場で、前記板ガラス１の後端に外装し、接着固定しておくものとする。
【００４２】
前記外装保持部９は、同図に示すように、その後端に後方に延長させた延長片９ａ及びその後端から垂下させた係止片９ｂを備えており、この外装保持部９を前記支持枠部材８中に組み込むと、その下板部８ｂから立ち上げた係合突片８ｄが該外装保持部９の後端と該係止片９ｂとの間に進入係止することになり、該外装保持部９に対する抜け止め作用を果たすことになる。更に該外装保持部９を該係合突片８ｄの先端付近を中心に起伏可能にすることにもなる。
【００４３】
また前記外装保持部９の後端と前記係止片９ｂとの間の隙間を、この間に挿入される係合突片８ｄの厚みに対して、この実施例では３倍程度になるように設定し、該外装保持部９の後端と前記係止片９ｂとの間で前記係合突片８ｄに相対的に水平方向の回動の余裕をも持たせるようにする。
【００４４】
前記支持枠部材８は、先に述べ、かつ図５に示すように、断面コ字形の部材であり、その上部を構成する上板部８ａと、これと平行な下部を構成する下板部８ｂと、該上板部８ａ及び下板部８ｂの後端を相互に結合する背板部８ｃとで構成したものである。既述のように、該背板部８ｃに外壁３に固定するためのアンカー１１を取り付ける。同図に示すように、この実施例では、アンカー１１を、その本体の基端を該背板部８ｃの外面に当接させ、かつ内面側から該背板部８ｃに開口した結合孔を通じてビスを該本体に差し込む態様で、該背板部８ｃに固設するものである。なお、云うまでもなく、該アンカー１１の本体側は上記ビスを深く差し込むことで周方向に膨らみ、挿入されている外壁３の下孔に固定されることになる。
【００４５】
前記支持枠部材８は、板ガラス１に固設した外装保持部９とは分離状態で運び込まれ、これのみを建築現場で外壁３の所定位置に配し、前記アンカー１１によって固設する。この後、先に述べたように、板ガラス１に固設した外装保持部９をこれに組み込む作業手順とする。
【００４６】
前記弾性充填部材１０は、同図に示すように、前記外装保持部９の上面と前記支持枠部材８の上板部８ａとの間及び該外装保持部９の下面と前記支持枠部材８の下板部８ｂとの間のそれぞれに於いて、最奥部に充填し、上下の部材を結合するゴム製弾性部材１０ａと、最外部に充填するシーリング材１０ｂと、上記ゴム製弾性部材１０ａと該シーリング材１０ｂとの間に配するバックアップ材１０ｃとで構成する。
【００４７】
また既述のように、前記板ガラス１は、その上面の一部と該板ガラス１が張り出す外壁３との間を各々ユニバーサルジョイント４、４を介して結合する一対の支持アーム５、５で支持するものであり、各ユニバーサルジョイント４、４には、云うまでもなく、その一端側には支持アーム５との結合手段が構成され、他端側には板ガラス１の一部又は外壁３との結合手段が構成されている。
【００４８】
前記支持アーム５、５の各ユニバーサルジョイント４、４は、図２(a)、(b)及び図４に示すように、球体支承部４ｂを備えたケース部４ｃと、該ケース部４ｃの球体支承部４ｂに転動自在に支持される転動球体４ｄと、該転動球体４ｄから突出する連結管４ｅとで構成し、該球体支承部４ｂには、支承する転動球体４ｄ側から結合対象の外壁３又は板ガラス１側に連通する通孔４ｂ１を形成し、該転動球体４ｄには該球体支承部４ｂの通孔４ｂ１と前記連結管４ｅの中空部４ｅ１とを連通する連通孔４ｄ１を形成する。
【００４９】
前記ケース部４ｃは、図２(a)及び図４に示すように、その長さ方向の両端側に開口しており、前記球体支承部４ｂを配した部位より前記支持アーム５と結合する側の周側内面が該球体支承部４ｂと共に転動自在に転動球体４ｄを支承するように構成されている。また該転動球体４ｄは、前記連結管４ｅを、該ケース部４ｃの該支持アーム５と結合する側の開口部から突出させるべく配してあり、該ケース部４ｃのこちら側の開口部は、該連結管４ｅの該ケース部４ｃに対する最大屈曲角度に対応させ、必要な方向に大きく切り欠いた構成としてある。
【００５０】
前記転動球体４ｄに形成した連通孔４ｄ１は、図２(a)、(b)及び図４に示すように、該球体支承部４ｂ側に向かって拡大した構成とする。前記連結管４ｅは、前記したところから理解されるように、前記ケース部４ｃに対して一定の範囲で屈曲可能になっており、この角度を変更すれば、該転動球体４ｄが回転し、その連通孔４ｄ１の球体支承部４ｂ側の開口部が後者の通孔４ｂ１と不一致になる可能性がある。そこで、これを回避すべく、該連結管４ｅの屈曲範囲に対応する該転動球体４ｄのいずれの転動角度でも、該連通孔４ｄ１の該球体支承部４ｂ側の開口部が後者の通孔４ｂ１に対応して開口しているように、こちら側に向かって拡大した構成としたものである。
【００５１】
前記各支持アーム５、５の両ユニバーサルジョイント４、４の内、前記板ガラス１と結合する側のそれには、特に図２(a)に示すように、該板ガラス１との結合部を以下のように構成する。
【００５２】
この結合部は、図２(a)に示すように、該ユニバーサルジョイント４のケース部４ｃの下部側で該板ガラス１の上面に当接する側に構成した上挟持部４ｆ、該上挟持部４ｆと該板ガラス１を挟んで表裏対応する裏面側に配する下挟持部４ａ及び該板ガラス１に開口した連結孔１ａを通じて該下挟持部４ａを該上挟持部４ｆに結合すべく前者に突設した連結ねじ（連結手段）４ｇで構成したものである。
【００５３】
前記上挟持部４ｆは、図２(a)に示すように、下部の鍔部と上部の雄ねじ部とからなり、上部の雄ねじ部は、これを前記ケース部４ｃの下部内周に形成した雌ねじ部に下方からねじ込むことで該上挟持部４ｆを該ケース部４ｃの下端に取り付けつつ、その内部の球体支承部４ｂを所定の位置に位置決めし、該球体支承部４ｂとケース部４ｃのそれより上部内側の部位とに於ける前記転動球体４ｄの転動自在な支承を確保しているものである。
【００５４】
前記下挟持部４ａは、図２(a)に示すように、鍔状の部材であり、その両側の二カ所に取り付けネジ穴を備え、かつその上部中央に前記連結ねじ４ｇを立ち上げたものである。同図に示すように、該下挟持部４ａを連結孔１ａに対応させて前記板ガラス１の下面に当接させ、その中央の連結ねじ４ｇを該連結孔１ａを通じて、その上面に当接させた上挟持部４ｆの雌ねじに進入螺合させ、これらを該板ガラス１を挟持状態にしつつ固定する。
【００５５】
なお該上挟持部４ｆの雌ねじは、同図に示すように、その中央に貫通した通孔４ｆ１の内周に形成したものであり、以上の状態で、この通孔４ｆ１は、下挟持部４ａの中央に形成した通孔４ａ１及びこれに連続する連結ねじ４ｇに形成した通孔４ｇ１と連通状態となる。また、以上のように、上挟持部４ｆと下挟持部４ａとを板ガラス１に挟持状態に固定する場合には、該上挟持部４ｆと板ガラス１の間、該下挟持部４ａと板ガラス１との間には、該板ガラス１に損傷を与えない趣旨及び水密性を高めて連結孔１ａ、そしてこれを通じて後記基板部６ｂ上に雨水等が浸入しないようにする趣旨で適当な樹脂製のスペーサシートを介在させる。
【００５６】
また前記各支持アーム５、５の両ユニバーサルジョイント４、４の内、前記外壁３と結合する側のそれには、特に図４に示すように、該外壁３との結合部を以下のように構成する。
【００５７】
この結合部は、図４に示すように、該ユニバーサルジョイント４のケース部４ｃの外端部側で該外壁３の外面に当接する側に構成した外挟持部４ｈ、該外挟持部４ｈと該外壁３を挟んで内外対応する内側に配する内挟持部４ｉ、該外壁３に開口した連結孔３ａを通じて該外挟持部４ｈと内挟持部４ｉとを連結する連結パイプ４ｊ、該外挟持部４ｈと該連結パイプ４ｊとを結合する連結雄ねじ４ｊ１、及び該内挟持部４ｉと連結パイプ４ｊとの後記螺合状態を更に強化するナット４ｉ２で構成したものである。
【００５８】
前記外挟持部４ｈは、図４に示すように、外端の鍔部と内側の雄ねじ部とからなり、内側の雄ねじ部は、これを前記ケース部４ｃの下部内周に形成した雌ねじ部に下方からねじ込むことで該外挟持部４ｈを該ケース部４ｃの外端に取り付けつつ、その内部の球体支承部４ｂを所定の位置に位置決めし、該球体支承部４ｂとケース部４ｃのそれより内側の部位とに於ける前記転動球体４ｄの転動自在な支承を確保しているものである。
【００５９】
前記内挟持部４ｉは、図４に示すように、鍔状の部材であり、その両側の二カ所に取付孔を備え、かつその中央に結合雌ねじ（貫通結合孔）４ｉ１を形成したものである。前記連結パイプ４ｊは、同図に示すように、外壁３に開口した連結孔３ａ中に装入し、その外端を前記連結雄ねじ４ｊ１を介して該外壁３の該当する外面部位に配した前記外挟持部４ｈに結合し、内端を前記内挟持部４ｉの結合雌ねじ４ｉ１に螺合状態で貫通させ、更にその端部側にナット４ｉ２を螺合することによってその引き抜き強度を高めたものである。
【００６０】
前記連結雄ねじ４ｊ１は、その先端側と後端側とでねじの方向を逆転させたねじ部材であり、その先端側の雄ねじを前記外挟持部４ｈの通孔４ｈ１に形成した雌ねじに螺合させ、後端側を前記連結パイプ４ｊの外端側内周に形成してある雌ねじに螺合させることで両者を結合するものである。
【００６１】
なお、以上のように、外挟持部４ｈを外壁３に接合固定する場合には、該外挟持部４ｈと外壁３との間に、該外壁３に損傷を与えない趣旨及び水密性を高めて連結孔３ａ及び連結パイプ４ｊを通じて外壁３の内部（室内）に雨水等が浸入しないようにする趣旨で適当な樹脂製のスペーサシートを介在させる。
【００６２】
また前記連結パイプ４ｊの内端は、前記したところから理解されるように、途中から雄ねじが形成してあり、図４に示すように、これに前記内挟持部４ｉをその結合雌ねじ４ｉ１で螺合し、該内挟持部４ｉの内面が該外壁３の内面に圧接状態になるまで螺合締め付けを行うことにより、該外壁３の厚みに自在に対応することができる。この後、該内挟持部４ｉの二カ所に形成してある取付孔から対面する外壁３にビスをねじ込んでこの螺合状態を固定する。更に該内挟持部４ｉの結合雌ねじ４ｉ１から突出する該連結パイプ４ｊの内端にはナット４ｉ２を螺合してその固定を確実にし、該連結パイプ４ｊの引き抜き強度を高める。
【００６３】
なお前記連結雄ねじ４ｊ１は、図４に示すように、その中央に通孔４ｊ２を開口してあるものであり、この状態で、前記外挟持部４ｈの通孔４ｈ１は、該連結雄ねじ４ｊ１の通孔４ｊ２と連通し、この通孔４ｊ２は、前記連結パイプ４ｊの中空部に連通し、該連結パイプ４ｊの中空部は内端で外壁３の内側に開口している。
【００６４】
前記支持アーム５は、図３に示すように、二つの支分パイプ５ａ、５ａと、これを接続する結合パイプ５ｂとで構成したものである。各支分パイプ５ａ、５ａの内端には相互に逆回り関係となる雌ねじが形成してあり、他方、該結合パイプ５ｂには、その外周両側にに各々対応する側の雌ねじに螺合し得る雄ねじが形成してあり、同図に示すように、両支分パイプ５ａ、５ａの間に該結合パイプ５ｂを位置させ、それぞれ該当する端部で両者を螺合すれば、支持アーム５としての全体の長さを調節しながら、両支分パイプ５ａ、５ａを連結することができる。
【００６５】
なお該両支分パイプ５ａ、５ａの中空部は、前記結合パイプ５ｂの通孔５ｂ１で連通するようになっている。
【００６６】
該支持アーム５の両端、即ち、両支分パイプ５ａ、５ａの各外端は、図２(a)及び図４に示すように、結合管５ｃを介して前記ユニバーサルジョイント４の転動球体４ｄから突出する連結管４ｅと接続する。該両支分パイプ５ａ、５ａの各外端内周には雌ねじが形成してあり、該連結管４ｅの通孔４ｅ１の内周にはこれと逆向きの雌ねじが形成してある。また該結合管５ｃの外周には、その長さ方向の途中で逆向きとなる二つの雄ねじが形成してある。同図に示すように、該両支分パイプ５ａ、５ａの各外端と、該連結管４ｅとの間に該結合管５ｃを配し、前者の雌ねじと該結合管５ｃの一方の側の雄ねじとを螺合し、更に該結合管５ｃの他方の雄ねじと該連結管４ｅの雌ねじとを螺合することにより、該結合管５ｃを介して支分パイプ５ａ、５ａと前記転動球体４ｄの連結管４ｅとを連結する。
【００６７】
なお該結合管５ｃは、その中央部に通孔５ｃ１を有しており、図２(a)及び図４に示すように、以上の状態で、該結合管５ｃの通孔５ｃ１は、支分パイプ５ａの中空部及び連結管４ｅの通孔４ｅ１に連通している。
【００６８】
前記ＬＥＤ照明部６は、前記し、かつ図１及び図２(a)に示すように、前記ユニバーサルジョイント４と板ガラス１との結合部の下挟持部４ａに取り付けたものである。
【００６９】
該ＬＥＤ照明部６は、同図に示すように、筒状保持部６ａと、基板部６ｂと、基板部に配した１９個の高輝度タイプのＬＥＤ６ｃ、６ｃ…とで構成したものであり、該筒状保持部６ａは、上端に、中央に通孔６ａ１を備えた取付板部６ａ３を有しており、該取付板部６ａ３の上面を前記下挟持部４ａに当接させた上で、該取付板部６ａ３に開口したネジ穴を通じて固定ねじ６ａ２、６ａ２を挿入し、該下挟持部４ａに形成してあるネジ穴にこれらをねじ込み固定するようになっている。
【００７０】
該筒状保持部６ａは、同図に示すように、更にその軸方向の途中に取付段差部６ａ４を有しており、これに下方から下向きで装入した基板部６ｂの周側部を近接させ、該当する部位に形成した該取付段差部６ａ４と基板部６ｂの各ネジ穴にスペーサ管を介在させた状態で下方から固定ねじ６ｂ１、６ｂ１をねじ込み螺合して、該基板部６ｂの該取付段差部６ａ４に対する近接状態を固定する。
【００７１】
前記基板部６ｂは、図２(a)、(c)に示すように、下向きに前記ＬＥＤ６ｃ、６ｃ…を配列し、それぞれに適合する電力を供給すべく回路を構成し、かつ上面側に電力を受け取るコネクタ６ｂ２を配した円盤状の部材であり、前記のように、表裏に開口する二つのネジ穴を開口したものでもある。
【００７２】
このＬＥＤ照明部６のＬＥＤ６ｃ、６ｃ…に電力を供給する電力供給路は、この実施例では、その一方であるプラス側を電力供給線７ａとして構成し、図２(a)、図３及び図４に示すように、この電力供給線７ａを、該ＬＥＤ照明部６のコネクタ６ｂ２に接続する図示しないコネクタから、順次、前記筒状保持部６ａの通孔６ａ１、前記ユニバーサルジョイント４の板ガラス１との結合部を構成する下挟持部４ａの通孔４ａ１、連結ねじ４ｇの通孔４ｇ１、上挟持部４ｆに形成した通孔４ｆ１、球体支承部４ｂの通孔４ｂ１、転動球体４ｄの連通孔４ｄ１、連結管４ｅの中空部、結合管５ｃの通孔５ｃ１、前記支持アーム５を構成する支分パイプ５ａの中空部、結合パイプ５ｂの通孔５ｂ１、支分パイプ５ａ、結合管５ｃの通孔５ｃ１、前記他のユニバーサルジョイント４の連結管４ｅの中空部、転動球体４ｄの連通孔４ｄ１、球体支承部４ｂの通孔４ｂ１、外壁３との結合部を構成する外挟持部４ｈの通孔４ｈ１、連結雄ねじ４ｊ１の通孔４ｊ２、及び連結パイプ４ｊの中空部を通じて外壁３の内側に引き込むようにしたものである。
【００７３】
なお以上の電力供給線７ａの以上の各部位への挿入の手順は自由であるが、板ガラス１側では、対応するユニバーサルジョイント４の球体支承部４ｂの通孔４ｂ１、上挟持部４ｆの通孔４ｆ１、連結ねじ４ｇの通孔４ｇ１、下挟持部４ａの通孔４ａ１及び筒状保持部６ａの通孔６ａ１に、該電力供給線７ａを挿通させた後、それらの部位に図示していないシーリング材を充填し、基板部６ｂへの雨水の浸入を回避するようにする。
【００７４】
また外壁３側では、対応するユニバーサルジョイント４の球体支承部４ｂの通孔４ｂ１及び外挟持部４ｈの通孔４ｈ１に該電力供給線７ａを挿通させた後、それらの部位に図示していないシーリング材を充填し、外壁３の内側（室内側）への雨水の浸入を回避するようにする。
【００７５】
この電力供給路の他方であるアース側７ｂは、ＬＥＤ照明部６の基板部６ｂの筒状保持部６ａと接する部位、該筒状保持部６ａ、下挟持部４ａ、連結ねじ４ｇ、上挟持部４ｆ、ケース部４ｃ、転動球体４ｄ、連結管４ｅ、結合管５ｃ、支分パイプ５ａ、結合パイプ５ｂ、支分パイプ５ａ、結合管５ｃ、連結管４ｅ、転動球体４ｄ、ケース部４ｃ、球体支承部４ｂ、外挟持部４ｈ、連結雄ねじ４ｊ１、連結パイプ４ｊ、内挟持部４ｉ及びこれを固定するビスから延長した電源線で構成したものであり、ＬＥＤ照明部６の基板部６ｂの筒状保持部６ａと接する部位から電源線の間の各部材は、ステンレス又はアルミニウム等の導電性部材で構成したものである。
【００７６】
前記外壁３の内側まで引き込まれたプラス側である電力供給線７ａ及びアース側７ｂである電源線は、各々そのために用意された直流電源の対応する極に接続する。この直流電源は、例えば、商用交流電源を適切な電圧に降圧した上で整流する等によって得る一般的なそれである。
【００７７】
従ってこの実施例のガラスによる庇は、照明手段を、その本来の軽快でスマートなデザインに全く悪影響を与えることなく付加することができる。
【００７８】
より具体的には、前記のように、ＬＥＤ照明部６に電力を供給する電力供給手段として、プラス側の電力供給線７ａは、前記支持アーム５等の内部を通過して外壁３の内側まで引き込み、アース側７ｂは、支持アーム５等、それ自体を利用して外壁３の内側まで引き込むこととすることにより、電源ラインが板ガラス１の周囲や支持アーム５の周囲に露出してデザインに悪影響を与えるようなことをなくしたものである。
【００７９】
また、前記のように、ユニバーサルジョイント４の転動球体４ｄに形成した連通孔４ｄ１を球体支承部４ｂ側に向かって適切に拡大するように構成したため、該ユニバーサルジョイント４の部位で、その屈曲角度を変えても、それが所定の範囲を越えなければ内部に配した電力供給線７ａに損傷を生じさせるような虞もない。
【図面の簡単な説明】
【００８０】
【図１】実施例のガラスによる庇の側面断面説明図。
【図２】(a)はＬＥＤ照明部付近の拡大断面説明図、(b)はユニバーサルジョイントの内部の一部を示す拡大正面説明図、(c)はＬＥＤ照明部の下方から見た拡大説明図。
【図３】支持アームの中央部付近の拡大断面説明図。
【図４】ユニバーサルジョイントの外壁との結合部付近の一部切欠拡大断面説明図。
【図５】後端支持部の外壁との結合部付近の拡大断面説明図。
【図６】実施例のガラスによる庇の概略斜視図。
【符号の説明】
【００８１】
１    板ガラス
１ａ  連結孔
２    後端支持部
３    外壁（壁体）
３ａ  外壁の連結孔
４    ユニバーサルジョイント
４ａ  下挟持部
４ａ１下挟持部の通孔
４ｂ  球体支承部
４ｂ１  球体支承部の通孔
４ｃ  ケース部
４ｄ  転動球体
４ｄ１  連通孔
４ｅ  連結管
４ｅ１  連結管の中空部
４ｆ  上挟持部
４ｆ１  上挟持部の通孔
４ｇ  連結ねじ（連結手段）
４ｇ１  連結ねじの通孔
４ｈ  外挟持部
４ｈ１  外挟持部の通孔
４ｉ  内挟持部
４ｉ１  結合雌ねじ
４ｉ２  ナット
４ｊ  連結パイプ
４ｊ１  連結雄ねじ
４ｊ２  連結雄ねじの通孔
５    支持アーム
５ａ  支分パイプ
５ｂ  結合パイプ
５ｂ１  結合パイプの通孔
５ｃ  結合管
５ｃ１  結合管の通孔
６    ＬＥＤ照明部
６ａ  筒状保持部
６ａ１  筒状保持部の取付板部の通孔
６ａ２  固定ねじ
６ａ３  取付板部
６ａ４  取付段差部
６ｂ  基板部
６ｂ１  固定ねじ
６ｂ２  コネクタ
６ｃ  ＬＥＤ
７ａ  電力供給線
７ｂ  アース側
８    支持枠部材
８ａ  上板部
８ｂ  下板部
８ｃ  背板部
８ｄ  係合突片
９    外装保持部
９ａ  延長片
９ｂ  係止片
１０  弾性充填部材
１０ａ  ゴム製弾性部材
１０ｂ  シーリング材
１０ｃ  バックアップ材
１１  アンカー
【図１】
0004502951.tif 000002
【図２】
0004502951.tif 000003
【図３】
0004502951.tif 000004
【図４】
0004502951.tif 000005
【図５】
0004502951.tif 000006
【図６】
0004502951.tif 000007